(57)【要約】【課題】  安定した運転が可能なベルト型濃縮機の制御方法を提供する。【解決手段】  透水性を有する回動自在な無端ベルト上に濃縮対象汚泥Ａを供給し、回動する無端ベルトによって濃縮対象汚泥Ａを搬送しながら重力脱水し、脱水後の濃縮汚泥Ｂを無端ベルト上から排出するベルト型濃縮機１の制御方法であって、濃縮汚泥Ｂの濃度の下限値と固形物回収率の下限値とを設定し、濃縮汚泥Ｂの濃度の下限値に対応する無端ベルトの走行速度を最低走行速度とし、固形物回収率の下限値に対応する無端ベルトの走行速度を最高走行速度とし、最低走行速度と最高走行速度との間を速度制御範囲とし、運転時、濃縮汚泥Ｂの濃度が規定値よりも低くなると、速度制御範囲内において、無端ベルトの走行速度を速くし、濃縮汚泥Ｂの濃度が規定値よりも高くなると、速度制御範囲内において、無端ベルトの走行速度を遅くする。【選択図】  図１
2006334543.tif 000002
【特許請求の範囲】
【請求項１】
透水性を有する回動自在な無端ベルト上に濃縮対象汚泥を供給し、回動する無端ベルトによって濃縮対象汚泥を搬送しながら重力脱水し、脱水後の濃縮汚泥を無端ベルト上から排出するベルト型濃縮機の制御方法であって、運転時、上記濃縮汚泥の濃度が規定値よりも低くなると、無端ベルトの走行速度を速くし、上記濃縮汚泥の濃度が規定値よりも高くなると、無端ベルトの走行速度を遅くすることを特徴とするベルト型濃縮機の制御方法。
【請求項２】
濃縮汚泥の濃度の下限値と固形物回収率の下限値とを設定し、上記濃縮汚泥の濃度の下限値に対応する無端ベルトの走行速度を最低走行速度とし、上記固形物回収率の下限値に対応する無端ベルトの走行速度を最高走行速度とし、上記最低走行速度と最高走行速度との間を速度制御範囲とし、この速度制御範囲内において無端ベルトの走行速度を変えることを特徴とする請求項１記載のベルト型濃縮機の制御方法。
【発明の詳細な説明】
【技術分野】
【０００１】
本発明は、例えば下水処理場における余剰汚泥の濃縮等に用いられるベルト型濃縮機の制御方法に関する。
【背景技術】
【０００２】
従来、ベルト型濃縮機としては、例えば図３に示すように、架台６１に前後一対のローラー６２ａ，６２ｂを設け、透水性を有するワイヤーメッシュ構造の無端ベルト６３を上記両ローラー６２ａ，６２ｂ間に掛け渡し、排出側のローラー６２ｂを駆動装置の一例であるモータ６５で回転駆動することにより、無端ベルト６３を回動させ、濃縮対象汚泥Ａを搬送軌道６４に沿って無端ベルト６３で搬送しながら重力濾過するものがある（下記特許文献１参照）。
【０００３】
尚、搬送軌道６４の始端部には、無端ベルト６３上に濃縮対象汚泥Ａを供給する供給部６６（供給用シュート等）が設けられ、搬送軌道６４の終端部には、脱水後の濃縮汚泥Ｂを無端ベルト６３上から排出する排出部６７（排出用シュート等）が設けられている。また、架台６１には、戻り軌道６８に沿って走行する無端ベルト６３に洗浄水を噴射して無端ベルト６３を洗浄する洗浄装置６９が設けられている。
【０００４】
これによると、濃縮対象汚泥Ａは、凝集剤７２でフロックを形成した後、供給部６６から回動する無端ベルト６３上に供給され、無端ベルト６３で搬送されながら重力濾過される。重力濾過された汚泥は濃縮汚泥Ｂとして無端ベルト６３上から排出部６７へ排出される。この際、無端ベルト６３の走行速度は常に一定に保たれていた。
【０００５】
しかしながら、上記の従来形式では、供給部６６から無端ベルト６３上に供給される濃縮対象汚泥Ａの濃度が大幅に変動した場合、この変動の影響を受けて、濃縮汚泥Ｂの濃度も大幅に変動し、安定した運転が困難であるといった問題がある。
【特許文献１】特許第３５０４２５２号
【発明の開示】
【発明が解決しようとする課題】
【０００６】
本発明は、安定した運転が可能なベルト型濃縮機の制御方法を提供することを目的とする。
【課題を解決するための手段】
【０００７】
上記目的を達成するために、本第１発明は、透水性を有する回動自在な無端ベルト上に濃縮対象汚泥を供給し、回動する無端ベルトによって濃縮対象汚泥を搬送しながら重力脱水し、脱水後の濃縮汚泥を無端ベルト上から排出するベルト型濃縮機の制御方法であって、運転時、上記濃縮汚泥の濃度が規定値よりも低くなると、無端ベルトの走行速度を速くし、上記濃縮汚泥の濃度が規定値よりも高くなると、無端ベルトの走行速度を遅くするものである。
【０００８】
これによると、無端ベルトの走行速度が速いほど、無端ベルト上に供給された濃縮対象汚泥の厚さが薄くなるため、濃縮対象汚泥中の水分が重力脱水され易くなり、汚泥の脱水性が向上する。したがって、運転時、濃縮汚泥の濃度が規定値よりも低くなると、無端ベルトの走行速度を速くすることにより、無端ベルト上に供給された濃縮対象汚泥の厚さが減少して薄くなるため、汚泥の脱水性が向上し、濃縮汚泥の濃度が高くなる。反対に、濃縮汚泥の濃度が規定値よりも高くなると、無端ベルトの走行速度を遅くすることにより、無端ベルト上に供給された濃縮対象汚泥の厚さが増加して分厚くなるため、汚泥の脱水性が低下し、濃縮汚泥の濃度が低くなる。このようにして無端ベルトの走行速度を調節することにより、無端ベルト上に供給される濃縮対象汚泥の濃度が大幅に変動しても、濃縮汚泥の濃度をほぼ規定値に保つことができる。
【０００９】
さらに、本第２発明は、濃縮汚泥の濃度の下限値と固形物回収率の下限値とを設定し、上記濃縮汚泥の濃度の下限値に対応する無端ベルトの走行速度を最低走行速度とし、上記固形物回収率の下限値に対応する無端ベルトの走行速度を最高走行速度とし、上記最低走行速度と最高走行速度との間を速度制御範囲とし、この速度制御範囲内において無端ベルトの走行速度を変えるものである。
【００１０】
これによると、固形物回収率は、無端ベルトの走行速度が速いほど、低下する。したがって、運転時、濃縮汚泥の濃度が規定値よりも低くなると、速度制御範囲内において無端ベルトの走行速度を速くすることにより、無端ベルト上に供給された濃縮対象汚泥の厚さが減少して薄くなるため、汚泥の脱水性が向上し、濃縮汚泥の濃度が高くなる。反対に、濃縮汚泥の濃度が規定値よりも高くなると、速度制御範囲内において無端ベルトの走行速度を遅くすることにより、無端ベルト上に供給された濃縮対象汚泥の厚さが増加して分厚くなるため、汚泥の脱水性が低下し、濃縮汚泥の濃度が低くなる。このようにして無端ベルトの走行速度を調節することにより、無端ベルト上に供給される濃縮対象汚泥の濃度が大幅に変動しても、濃縮汚泥の濃度をほぼ規定値に保つことができる。この際、上記速度制御範囲内で無端ベルトの走行速度を制御しているため、固形物回収率の大幅な低下が抑制され、安定した運転が可能になる。
【発明の効果】
【００１１】
本発明によると、無端ベルト上に供給される濃縮対象汚泥の濃度が大幅に変動しても、濃縮汚泥の濃度をほぼ規定値に保つことができる。この際、固形物回収率の大幅な低下が抑制されるため、安定した運転が可能になる。
【発明を実施するための最良の形態】
【００１２】
以下、本発明における実施の形態を図面に基づいて説明する。
尚、先に述べた従来のものと同一の部材は同じ符号を付記して説明を省略する。
図１に示すように、１はベルト型濃縮機であり、従来の図３に示したものと主要構成が同じである。このベルト型濃縮機１には、排出部６７に排出された濃縮汚泥Ｂの濃度を検出する汚泥濃度検出手段の一例である濃縮汚泥濃度検出装置２（濃度計）が設けられている。また、上記濃縮汚泥濃度検出装置２によって検出された濃縮汚泥Ｂの濃度と予め設定した規定値との差を演算する演算装置３と、演算装置３において求められた濃縮汚泥Ｂの濃度と規定値との差に基づいてベルト型濃縮機１のモータ６５を制御する制御装置４とが設けられている。
【００１３】
これによると、モータ６５を作動させてローラ６２ｂを回転駆動させることにより、無端ベルト６３が回動する。そして、濃縮対象汚泥Ａに凝集剤７２を供給してフロックを形成し、フロックが形成された濃縮対象汚泥Ａを供給部６６から無端ベルト６３上に供給する。供給された濃縮対象汚泥Ａは無端ベルト６３で搬送されながら重力濾過され、濃縮汚泥Ｂとして無端ベルト６３上から排出部６７へ排出される。
【００１４】
この際、上記無端ベルト６３の走行速度に応じて、濃縮汚泥Ｂの濃度（％）と固形物回収率（％）とが変化する。図２のグラフＧ１は、無端ベルト６３の走行速度と濃縮汚泥Ｂの濃度との関係を示し、グラフＧ２は、無端ベルト６３の走行速度と固形物回収率との関係を示している。
【００１５】
上記濃縮汚泥Ｂの濃度は、排出部６７から排出される汚泥中に占める固形物量の割合である。上記グラフＧ１に示すように、無端ベルト６３の走行速度が高速になるほど濃縮汚泥Ｂの濃度が上昇する。これは、無端ベルト６３の走行速度が高速になるほど、無端ベルト６３上の濃縮対象汚泥Ａの厚さＴ（高さ）が薄くなるため、水分が汚泥層内を通り抜け易くなり、脱水性が良好になるからである。
【００１６】
また、上記固形物回収率は、無端ベルト６３に供給される濃縮対象汚泥Ａ中の固形物量に対する、濃縮汚泥Ｂとして回収した固形物量の割合であり、ベルト型濃縮機１の場合、下記の式（１）で示すことができる。
【００１７】
【数１】
2006334543.tif 000003
尚、ｓａは無端ベルト６３を透過して下方に排出されたろ液中に含まれる固形物量である。ｓｂは洗浄装置６９で無端ベルト６３を洗浄した際の洗浄排水に含まれる固形物量である。Ｓは無端ベルト６３上に供給される固形物量である。グラフＧ２に示すように、無端ベルト６３の走行速度が高速になるほど固形物回収率が低下する。また、無端ベルト６３の走行速度が速いほど、無端ベルト６３上の濃縮対象汚泥Ａの厚さＴは減少して薄くなり、無端ベルト６３の走行速度が遅いほど、上記濃縮対象汚泥Ａの厚さＴは増加して分厚くなる。
【００１８】
以下に、上記ベルト型濃縮機１の制御方法を説明する。
図２のグラフＧ１，Ｇ２において、予め、濃縮汚泥Ｂの濃度の下限値Ｃと固形物回収率の下限値Ｄとを設定し、上記下限値Ｃに対応する無端ベルト６３の走行速度を最低走行速度Ｅとし、上記下限値Ｄに対応する無端ベルト６３の走行速度を最高走行速度Ｆとし、上記最低走行速度Ｅと最高走行速度Ｆとの間を速度制御範囲Ｗとする。
【００１９】
ベルト型濃縮機１を運転している時、上記濃縮汚泥濃度検出装置２によって濃縮汚泥Ｂの濃度が検出され、検出された濃縮汚泥Ｂの濃度と予め設定した規定値との差が演算装置３によって求められる。上記濃縮汚泥Ｂの濃度が規定値よりも低くなると、制御装置４は、モータ６５の回転速度を上げ、上記速度制御範囲Ｗ内において無端ベルト６３の走行速度を速くする。これにより、無端ベルト６３上の濃縮対象汚泥Ａの厚さＴが減少して薄くなるため、脱水性が向上し、濃縮汚泥Ｂの濃度が上昇する。そして、濃縮汚泥Ｂの濃度が規定値に達すると、この時の無端ベルト６３の走行速度を維持する。
【００２０】
反対に、上記濃縮汚泥Ｂの濃度が規定値よりも高くなると、制御装置４は、モータ６５の回転速度を下げ、上記速度制御範囲Ｗ内において無端ベルト６３の走行速度を遅くする。これにより、無端ベルト６３上の濃縮対象汚泥Ａの厚さＴが増加して分厚くなるため、脱水性が低下し、濃縮汚泥Ｂの濃度が低下する。そして、濃縮汚泥Ｂの濃度が規定値に達すると、この時の無端ベルト６３の走行速度を維持する。
【００２１】
このようにして無端ベルト６３の走行速度を調節することにより、無端ベルト６３上に供給される濃縮対象汚泥Ａの濃度が大幅に変動しても、濃縮汚泥Ｂの濃度をほぼ規定値に保つことができる。この際、上記速度制御範囲Ｗ内で無端ベルト６３の走行速度を制御しているため、固形物回収率の大幅な低下が抑制され、安定した運転が可能になる。
【００２２】
上記実施の形態では、無端ベルト６３から排出部６７に排出された濃縮汚泥Ｂの濃度を濃縮汚泥濃度検出装置２で直接的に検出しているが、供給部６６から無端ベルト６３上へ供給される濃縮対象汚泥Ａの濃度を濃度計等の濃度検出装置で検出し、検出した濃縮対象汚泥Ａの濃度に基づいて濃縮汚泥Ｂの濃度を推定し間接的に求めてもよい。
【００２３】
上記実施の形態では、濃度計等の濃度検出装置２を用いて濃縮汚泥Ｂの濃度を検出しているが、無端ベルト６３上の濃縮対象汚泥Ａの厚さＴを厚み検出装置で検出し、検出した厚さＴに基づいて濃縮汚泥Ｂの濃度を推定してもよい。尚、上記厚み検出装置としては、超音波センサーや光電スイッチ等が用いられる。
【００２４】
上記実施の形態ではモータ６５で排出側のローラ６２ｂを回転駆動させているが、供給側のローラ６２ａを回転駆動させてもよい。
【図面の簡単な説明】
【００２５】
【図１】本発明の第１の実施の形態におけるベルト型濃縮機の制御系の模式図である。
【図２】同、ベルト型濃縮機の無端ベルトの走行速度と濃縮汚泥濃度との関係および上記走行速度と固形物回収率との関係を示すグラフである。
【図３】従来のベルト型濃縮機の構成を示す側面図である。
【符号の説明】
【００２６】
１      ベルト型濃縮機
６３    無端ベルト
Ａ      濃縮対象汚泥
Ｂ      濃縮汚泥
Ｃ      濃縮汚泥の濃度の下限値
Ｄ      固形物回収率の下限値
Ｅ      最低走行速度
Ｆ      最高走行速度
Ｗ      速度制御範囲
【図１】
2006334543.tif 000004
【図２】
2006334543.tif 000005
【図３】
2006334543.tif 000006